(57)【要約】【課題】複数の窓ガラスへ複数のプロジェクタを用いて画像を投影する際に、スクリーンとして使用できる窓ガラスの大きさ及び位置に適した画像を投影することができる、画像投影システムの提供。【解決手段】複数のプロジェクタが投影する部分画像を組み合わせて全体として一つの画像を投影するマルチプロジェクションを行う画像投影システム１であって、窓ガラスを有する複数の部屋に設置される、複数のプロジェクタ１０と、前記複数のプロジェクタとネットワークを介して接続される制御装置２０と、を有しており、前記複数のプロジェクタの各プロジェクタには、照度検出手段１１７が設けられ、前記複数のプロジェクタの前記照度検出手段が前記各部屋の明るさを検出することで、前記複数の部屋の使用状況を検出し、前記制御装置は、使用していない部屋のプロジェクタだけを使用するコンテンツを選択して投影することを特徴とする画像投影システム。【選択図】図７
2018157445.tif 000002
【特許請求の範囲】
【請求項１】
複数のプロジェクタが投影する部分画像を組み合わせて全体として一つの画像を投影するマルチプロジェクションを行う画像投影システムであって、
窓ガラスを有する複数の部屋に設置される、複数のプロジェクタと、
前記複数のプロジェクタとネットワークを介して接続される制御装置と、を有しており、
前記複数のプロジェクタの各プロジェクタには、照度検出手段が設けられ、
前記複数のプロジェクタの前記照度検出手段が前記各部屋の明るさを検出することで、前記複数の部屋の使用状況を検出し、
前記制御装置は、使用していない部屋のプロジェクタだけを使用するコンテンツを選択して投影する
ことを特徴とする画像投影システム。
【請求項２】
複数のプロジェクタが投影する部分画像を組み合わせて全体として一つの画像を投影するマルチプロジェクションを行う画像投影システムであって、
窓ガラスを有する複数の部屋に設置される、複数のプロジェクタと、
前記複数の部屋に夫々設置される照明スイッチと、
前記複数のプロジェクタ及び前記照明スイッチとネットワークを介して接続される制御装置と、を有しており、
前記複数の照明スイッチが前記部屋の明るさを検出することで、前記複数の部屋の夫々の使用状況を検出し、
前記制御装置は、使用していない部屋のプロジェクタだけを使用するコンテンツを選択して投影する
ことを特徴とする画像投影システム。
【請求項３】
複数のプロジェクタは、複数の階にわたって設置され、
前記制御装置は、全ての部屋で使用していない階のプロジェクタだけを使用するコンテンツを選択する
ことを特徴とする請求項１又は２に記載の画像投影システム。
【請求項４】
前記制御装置は、使用可能な階の数や、隣接する階の位置に応じた複数のコンテンツを予め割り当てテーブルとして記憶しておく記憶部を備え、
前記制御装置は、全ての部屋で使用していない階のプロジェクタだけを使用するコンテンツを前記記憶部に記憶された前記複数のコンテンツから、選択する
ことを特徴とする請求項３に記載の画像投影システム。
【請求項５】
前記複数のプロジェクタは各窓ガラスに対して、上と下に配置され、上からの投影と、下からの投影とで重複する部分を生成する、
ことを特徴とする請求項１乃至４のいずれか一項に記載の画像投影システム。
【請求項６】
前記各窓ガラスには、透明状態である透明モードと、スクリーンとして使用できる半透明状態であるスクリーンモードとの状態変化が可能な投影用の液晶フィルムが取り付けられ、
前記液晶フィルムの状態変化を制御するスクリーンコントローラを、さらに備える、
ことを特徴とする請求項１乃至５のいずれか一項に記載の画像投影システム。
【請求項７】
複数のプロジェクタが投影する部分画像を組み合わせて全体として一つの画像を投影するマルチプロジェクションを行う、複数の窓ガラスへの画像投影方法であって、
窓ガラスを有する複数の部屋に設置される前記複数のプロジェクタに設けられた照度検出手段が部屋の明るさを検出することで、前記複数の部屋の使用状況を検出するステップと、
ネットワークを介して、前記使用状況を取得し、使用していない部屋のプロジェクタだけを使用するコンテンツを選択し、前記プロジェクタに投影させる
ことを特徴とする複数の窓ガラスへの画像投影方法。
【請求項８】
複数のプロジェクタが投影する部分画像を組み合わせて全体として一つの画像を投影するマルチプロジェクションを行う、複数の窓ガラスへの画像投影機能をコンピュータに実現させる画像投影プログラムであって、
窓ガラスを有する複数の部屋に設置される前記複数のプロジェクタに設けられた照度センサが部屋の明るさを検出した情報を取得し、前記複数の部屋の使用状況を検出する機能と、
ネットワークを介して、前記使用状況を取得し、使用していない部屋のプロジェクタだけを使用するコンテンツを選択し、前記プロジェクタに投影させる機能と、を有する、
ことを特徴とする複数の窓ガラスへの画像投影プログラム。
【発明の詳細な説明】
【技術分野】
【０００１】
本発明は、画像投影システム、複数の窓ガラスへの画像投影方法、及び複数の窓ガラスへの画像投影プログラムに関する。
【背景技術】
【０００２】
複数のプロジェクタを組み合わせて全体として一つの画像を表示するマルチプロジェクションシステムが、既に知られている（例えば、特許文献１等）。
【０００３】
また、窓ガラスとして使用する透明モードと半透明なスクリーンモードに変化する特殊な液晶フィルムを建物の窓ガラスに対して貼りつけ、建物内の部屋が消灯した後、スクリーンモードにして映像を投影することで、窓ガラスをデジタルサイネージ（電子看板）として活用できることが知られている（例えば、特許文献２）。
【発明の概要】
【発明が解決しようとする課題】
【０００４】
しかし、複数の窓ガラスに対してマルチプロジェクションシステムを適用しようとすると、まだ営業中や就業中で消灯していない部屋が存在すると、その窓をスクリーンモードにできず、複数の窓ガラスに跨る映像を投影できなかったり、投影画像が部分的に欠けたりするおそれがあった。
【０００５】
そこで、本発明は上記事情に鑑み、複数の窓ガラスへ複数のプロジェクタを用いて画像を投影する際に、スクリーンとして使用できる窓ガラスの大きさ及び位置に適した画像を投影することができる、画像投影システムを提供する。
【課題を解決するための手段】
【０００６】
上記課題を解決するため、本発明の一態様では、
複数のプロジェクタが投影する部分画像を組み合わせて全体として一つの画像を投影するマルチプロジェクションを行う画像投影システムであって、
窓ガラスを有する複数の部屋に設置される、複数のプロジェクタと、
前記複数のプロジェクタとネットワークを介して接続される制御装置と、を有しており、
前記複数のプロジェクタの各プロジェクタには、照度検出手段が設けられ、
前記複数のプロジェクタの前記照度検出手段が前記各部屋の明るさを検出することで、前記複数の部屋の使用状況を検出し、
前記制御装置は、使用していない部屋のプロジェクタだけを使用するコンテンツを選択して投影する
ことを特徴とする画像投影システム。
【発明の効果】
【０００７】
一態様によれば、複数の窓ガラスへ複数のプロジェクタを用いて画像を投影する画像投影システムにおいて、スクリーンとして使用できる窓ガラスの大きさ及び位置に適した画像を投影することができる。
【図面の簡単な説明】
【０００８】
【図１】本発明の実施形態に係る投影システムの投影対象となる窓ガラスと窓ガラスに設けられるプロジェクタの例である。
【図２】第１実施形態に係る投影システムのネットワーク構成を示すブロック図である。
【図３】図１に示す各窓ガラスに対するプロジェクタの配置と投影部分を説明する図である。
【図４】第１実施形態のプロジェクタのブロック構成について説明する図である。
【図５】実施形態に係るコントローラのハードウエアブロック図である。
【図６】実施形態に係るコントローラの機能ブロック図である。
【図７】複数の窓ガラスへの投影例であって、（ａ）は３つのフロアを投影対象とした投影画像、（ｂ）は２つのフロアを投影対象とした投影画像、（ｃ）は１つのフロアを投影対象とした投影画像である。
【図８】（ａ）は本実施形態でコントローラに記憶されるコンテンツの種類と使用フロアの割り当てデータの一例であり、（ｂ）は本実施形態の夫々のプロジェクタで記憶されるコンテンツの画像データの一例である。
【図９】第１の実施形態における、投影対象の選択処理を示すフローチャートである。
【図１０】実施形態における、コンテンツ割り当て処理を示す詳細フローチャートである。
【図１１】第２実施形態の投影システムのネットワーク構成を示すブロック図である。
【発明を実施するための形態】
【０００９】
以下、図面を参照して本発明を実施するための形態について説明する。下記、各図面において、同一構成部分には同一符号を付し、重複した説明を省略する場合がある。
【００１０】
＜投影対象＞
図１は、本発明の実施形態に係る投影システム１の投影対象となる窓ガラスと窓ガラスに設けられるプロジェクタの例である。
【００１１】
本発明の実施形態に係る投影システム１では、複数の窓ガラスへ複数のプロジェクタを用いて画像を投影する。さらに、投影対象となる複数の窓ガラスは、複数の階に亘って配置されている。
【００１２】
例えば、図１のように、４階建てのビルにおいて、２Ｆ（階）、３Ｆ、４Ｆにそれぞれ４枚の窓が、本実施形態の投影システム１の投影対象となりうる複数の窓ガラスである。
【００１３】
また、それぞれの窓ガラスＷの上下には、プロジェクタ１０が設置されている。即ち、１つの窓ガラスＷに対して上下、２つずつ、２４個のプロジェクタ１０が配置されている。
【００１４】
また、窓ガラスＷには通電すると透明になり普通の窓ガラスとして使用でき、通電を切るとスクリーンとなる特殊な投影用の液晶フィルム（スクリーン）が貼られている。
【００１５】
それぞれのプロジェクタ１０、液晶フィルムの状態変化は無線ネットワークにより、コントローラ２０（図２参照）により、動作を制御できる。
【００１６】
＜投影システム＞
図２は、第１実施形態に係る投影システムのネットワーク構成を示すブロック図である。
【００１７】
図２に示すように、投影システム１は、複数のプロジェクタ１０と、コントローラ２０と、複数のスクリーンコントローラ３０と、を備えている。
【００１８】
コントローラ２０は汎用のコンピュータ（情報処理装置）で構成され、ネットワーク５０を介して全てのプロジェクタ１０と、全てのスクリーンコントローラ３０と接続されている。
【００１９】
制御装置であるコントローラ２０は、スクリーンコントローラ３０に命令を送り、窓ガラスに貼り付けられた液晶フィルムのスクリーンモードのＯＮ／ＯＦＦを指示する。
【００２０】
スクリーンコントローラ３０は、窓ガラスに貼り付けられた投影用の液晶フィルムに対して、窓ガラスとして使用する際の透明状態である透明モードと、スクリーンとして使用する際の半透明（半濁）状態であるスクリーンモードとの状態変化を制御する。液晶フィルムの状態変化は、例えば、液晶フィルムに印加する電圧の有無を切り替えることで制御できる。
【００２１】
また、コントローラ２０は、さらにプロジェクタ１０に対して、プロジェクタ１０の電源ＯＮ／ＯＦＦ、投影するコンテンツの切り替えを制御する。
【００２２】
各プロジェクタ１０は、コントローラ２０からの指示に応じて、窓ガラスＷに対して、選択されたコンテンツを投影する。
【００２３】
＜プロジェクタの配置＞
図３は、図１に示す各窓ガラスＷに対するプロジェクタ１０の配置と投影部分を説明する図である。図３において、（ａ）は正面図を示し、（ｂ）は側面図を示す。
【００２４】
図３（ａ），図３（ｂ）に示すように、それぞれの窓ガラスＷの上下にプロジェクタ（ＰＪ）１０が設定されており、窓ガラスＷの上下半分にそれぞれ投射を行う。この際、図３（ｂ）のように上に配置されたプロジェクタ１０と、下に配置されたプロジェクタ１０で、投影する画像の一部を重ね合わせるように投影する。このように投影することで、上下のプロジェクタの投影領域の境界を目立たなくすることができる。
【００２５】
図３（ｂ）に示すように、窓ガラスＷの内側（室内側）に、投影用の液晶フィルムＦが、貼り付けられている。この液晶フィルムＦを制御するように、窓ガラスの近傍には、スクリーンコントローラ３０が設けられている。スクリーンコントローラ３０は、窓ガラスに対して夫々設けられるため、図１のような建物の場合は、窓ガラスＷの数と同数の１２個設けられる。
【００２６】
なお、図３では、窓ガラスＷの２倍の数のプロジェクタ１０を窓ガラスＷの上下に配置する例を説明したが、本発明では、プロジェクタ１０の数は、窓ガラスと同数であってもよく、あるいは窓ガラスに対して、４つ設けてもよい。
【００２７】
プロジェクタ１０は、少なくとも窓ガラスＷと同数設ければ、後述する画像投影方法を実現可能である。
【００２８】
＜プロジェクタ構成＞
図４は、プロジェクタのブロック構成について説明する図である。
【００２９】
プロジェクタ１０は、外部Ｉ／Ｆ部１００、システム制御部１０１、音声処理部１０２、スピーカー１０３、映像処理部１０４、光学ユニット制御部１０５、光学ユニット１０６、光源制御部１０７、光源１０８、電源制御部１０９、電源１１０、操作部１１１、リモコン受信部１１２、記憶部１１３、ファン制御部１１４、ファン１１５、温度センサ１１６、照度センサ１１７、及び投影画像表示部１２０を有する。
【００３０】
外部Ｉ／Ｆ（Interface）部１００は、電子機器との間で各種情報を入出力するためのインターフェースである。外部Ｉ／Ｆ部１００を介して、映像出力機器等と接続されることで画像データや音声データを含む各種情報の入出力（送受信）を行う。
【００３１】
外部Ｉ／Ｆ部１００は、データ用のＩ/Ｆとして、画像データや画像データの制御情報等の送受信を行うための映像ポート１００１と、音声データや音声データの制御情報等の送受信を行うための音声ポート１００２と、ＵＳＢ（Universal Serial Bus）端子と接続された電子機器と各種情報を送受信するためのＵＳＢポート１００３とを有している。ＵＳＢポートには、投影するコンテンツの画像データを記憶しているＵＳＢメモリ９０が接続されていてもよい。
【００３２】
さらに、外部Ｉ／Ｆ部１００は、ネットワーク用のＩ/Ｆとして、ネットワークへ接続しＬＡＮ接続された電子機器と各種情報を送受信するためのＬＡＮポート１００４、無線ＬＡＮポート１００５、とを有する。無線ＬＡＮポート１００５がネットワーク５０と接続することで、プロジェクタ１０は、コントローラ２０と接続している。
【００３３】
システム制御部１０１は、プロジェクタ１０を構成する他の各部を制御する。システム制御部１０１は、ＣＰＵ（Central Processing Unit）１０１１と、ＲＯＭ（Read Only Memory）１０１２と、ＲＡＭ（Random Access Memory）１０１３とにより実現される。ＣＰＵ１０１１は、ＲＯＭ１０１２やシステム制御部１０１に記憶された各種プログラムに従って、各種制御や機能を実現する演算装置である。
【００３４】
ＲＯＭ１０１２は、プロジェクタ１０で実行可能な各種プログラムや、これらの各種プログラムを実行する際に使用される各種データ、及びＣＰＵ１０１１の演算処理結果などを記憶する不揮発性の半導体メモリ（記憶装置）である。
【００３５】
ＲＡＭ１０１３は、ＣＰＵ１０１１によって実行される各種プログラムなどを展開するためのプログラム格納領域や、各種入出力データや各種プログラムの実行結果などを格納するデータ格納領域などを備える揮発性の半導体メモリ（記憶装置）である。
【００３６】
音声処理部１０２は、外部Ｉ／Ｆ部１００を介して入力された（受信した）音声データのうち、音量調整や音質調整等の処理を行う。音声処理部１０２は、入力された音声データに対して音量調整や音質調整等の処理を行った後、この処理後の音声データをスピーカー１０３や不図示の音声出力ポートに出力する。
【００３７】
スピーカー１０３は、音声処理部１０２から入力された音声データに従って、音声を出力する音声出力装置である。なお、スピーカー１０３は、プロジェクタ１０に内蔵されている内蔵型のスピーカーでもよいし、例えば不図示の音声出力ポートを介してケーブルやネットワークなどに接続される外部機器のスピーカーでもよい。
【００３８】
映像処理部１０４は、外部Ｉ／Ｆ部１００を介して入力された（受信した）画像データに対して、システム制御部１０１が適切に扱えるよう各種処理を行う。映像処理部１０４は、入力された画像データに対して各種処理を行った後、この処理後の画像データをＲＡＭ１０１３や不図示のバッファメモリ等に出力する。
【００３９】
そして、システム制御部１０１での映像処理を経て、投影画像表示部１２０へ画像が表示され、その画像が拡大されて、窓ガラスＷ（図１参照）に投影される。プロジェクタ１０の投影画像表示部１２０は、例えば、デジタルマイクロミラーデバイス（Digital Micro-mirror Device：ＤＭＤ）等によって構成されている。
【００４０】
光学ユニット制御部１０５は、光学ユニット１０６を制御して、映像処理部１０４からＲＡＭ１０１３や不図示のバッファメモリ等に出力された画像データの投影を行う。光学ユニット１０６は、レンズ、ミラーなどの光学部品から構成されるユニット（部品）である。光源制御部１０７、システム制御部１０１からの指示に基づき、光源１０８の点灯や消灯などを制御する。光源１０８は、例えば水銀ランプなどである。
【００４１】
電源制御部１０９は電源１１０を制御する。電源１１０はプロジェクタ１０に電力を供給する。
【００４２】
操作部１１１は、ユーザーからの各種操作入力を受け付け、システム制御部１０１を介して、操作入力に対応する機能を実現させる。操作部１１１は、例えばカーソルキーや文字／数字キー、各種機能キー等からの入力を受けつけることが可能である。リモコン受信部１１２はリモコンなど遠隔からの各種操作入力を受け付け、システム制御部１０１を介して、操作入力に対応する機能を実現させる。リモコン受信部１１２は、例えば赤外線方式のリモコンからカーソルキーや文字／数字キー、各種機能の入力を受け付けることが可能である。
【００４３】
記憶部１１３は、例えばＥＥＰＲＯＭ（Electrically Erasable Programmable ROM）等の不揮発性の半導体メモリ（記憶装置）である。記憶部１１３は、プロジェクタ１０が実行可能な各種プログラムやこれらの各種プログラムを実行する際に使用される各種データ等を記憶する。各種データとは、例えばプロジェクタ１０に設定された設定値などである。なお、記憶部１１３は、例えばＨＤ（Hard Disk）などの記憶装置であってもよい。また、記憶部１１３は、例えばプロジェクタ１０とネットワークを介して接続される記憶装置であってもよい。
【００４４】
ファン制御部１１４は、ファン１１５を制御する。ファン１１５は、本体もしくは部品を冷却したり、排熱したりするためのものである。温度センサ１１６は、プロジェクタ内部の温度を測定する温度測定部である。
【００４５】
照度センサ１１７は、部屋の明るさを検出する照度検出手段である。第１実施形態において、照度センサ１１７の検出結果が、無線ＬＡＮポート１００５に接続されたネットワークを介して、コントローラ２０に送信され、コントローラ２０がその送信結果を基に、投影対象となる窓ガラスを選択して、その窓ガラスの数（投影可能な範囲）及び位置に対応付けられたコンテンツを選択する。
【００４６】
＜コントローラ＞
次に、本実施形態に係るコントローラ２０の構成について、図５、図６を参照して説明する。図５は、本実施形態に係るコントローラ２０のハードウェア構成を模式的に示すブロック図である。
【００４７】
図５に示すように、本実施形態に係るコントローラ２０は、ＣＰＵ２１０、ＲＡＭ２２０、ＲＯＭ２３０、ＨＤＤ２４０、操作部２５０、通信Ｉ／Ｆ２６０、表示部２７０がバス２８０を介して接続されて構成されている。
【００４８】
ＨＤＤ２４０は、情報の読み書きが可能な不揮発性の記憶媒体であり、画像データ等の各種データや、ＯＳ（Operating System）、情報処理プログラム等の各種制御プログラム、アプリケーション・プログラム等の各種プログラムを格納する。
【００４９】
ＣＰＵ２１０、ＲＡＭ２２０、ＲＯＭ２３０の機能は、プロジェクタ１０と同様である。
【００５０】
操作部２５０は、コントローラ２０に情報を入力するためのユーザインタフェースであり、キーボードやマウス、ボタン、タッチパネルなどの入力装置によって実現される。
【００５１】
また、表示部２７０は、管理者が複数のプロジェクタ１０の状態を確認するための視覚的ユーザインタフェースであり、ＬＣＤ（Liquid Crystal Display）などの表示装置によって実現される。
【００５２】
このようなハードウェア構成において、ＲＯＭ２３０、ＨＤＤ２４０等の記憶媒体に格納されたプログラムがＲＡＭ２２０に読み出される。ＣＰＵ２１０がＲＡＭ２２０に読み出されたプログラムに従って演算を行うことにより、ソフトウェア制御部が構成される。このようにして構成されたソフトウェア制御部と、ハードウェアとの組み合わせによって、本実施形態に係るコントローラ２０の機能を実現する図６に示すような機能ブロックが構成される。
【００５３】
図６は、実施形態に係るコントローラ２０の機能ブロック図である。
【００５４】
図６に示すように、コントローラ２０は、照度取得部６１０、前回照度情報記憶部６２０、照度変化検出部６３０、割り当てテーブル記憶部６４０、コンテンツ選択部６５０、及び選択コンテンツデータ送信部６６０を実行可能に有している。
【００５５】
例えば、照度取得部６１０及び選択コンテンツデータ送信部６６０は、例えば図５に示す通信Ｉ／Ｆ２６０によって実現される。照度変化検出部６３０及びコンテンツ選択部６５０は、ＣＰＵ２１０がＲＡＭ２２０に読み出されたプログラムに従って演算を行うことにより実現される。前回照度情報記憶部６２０及び割り当てテーブル記憶部６４０は、ＨＤＤ２４０又はＲＯＭ２３０によって実現される。
【００５６】
照度取得部６１０は、複数のプロジェクタ１０に夫々設けられている、照度センサ１１７から、部屋の消灯/点灯情報に対応する部屋の明るさ情報を取得する。なお、図３のように、各部屋に２つのプロジェクタ１０を配置する場合は、上下両方のプロジェクタ１０に設けられた照度センサ１１７から照度を取得してもよいし、いずれか片方のみ、各部屋につき１つの照度センサ１１７のみから照度を取得してもよい。
【００５７】
前回照度情報記憶部６２０は、前回取得した（受信した）、プロジェクタ１０が設けられた各部屋の点灯/消灯情報に相当する、前回取得した明るさ情報を記憶しておく。
【００５８】
照度変化検出部６３０は、照度センサ１１７が取得した明るさ情報が、前回照度情報記憶部６２０に記憶されている前回取得した明るさ情報と比較して、変化しているかどうか検出する。
【００５９】
割り当てテーブル記憶部６４０は、後述する図８に示すように、使用可能なフロアと、投影対象となる領域に対応付けられたコンテンツの情報を、コンテンツ・フロア割り当てデータとして記憶しておく。
【００６０】
コンテンツ選択部６５０は検出した照度変化と、割り当てテーブル記憶部６４０に記憶されたコンテンツ・フロア割り当てテーブルを参照して、消灯しているフロアに対応付けられたコンテンツを選択する。
【００６１】
選択コンテンツデータ送信部６６０は、選択したコンテンツの情報を指示情報として、夫々のプロジェクタ１０と、夫々のスクリーンコントローラ３０へ送信する。
【００６２】
各プロジェクタ１０は、受信した選択されたコンテンツの投影領域を基に、投影状態又は電源をＯＮ/ＯＦＦするとともに、投影対象となるフロアのプロジェクタ１０は、選択されたコンテンツの内容を選択して画像を投影する。
【００６３】
スクリーンコントローラ３０は、選択されたコンテンツの投影領域に応じて、窓ガラスに貼り付けられた投影用の液晶フィルムＦのスクリーンモードのＯＮ／ＯＦＦを制御する。
【００６４】
＜画像投影コンテンツ例＞
次に、本実施形態に係る画像投影コンテンツについて、図７、図８を参照して説明する。
【００６５】
図７は、複数の窓ガラスへの投影例であって、（ａ）は３つのフロアを投影対象とした投影画像、（ｂ）は２つのフロアを投影対象とした投影画像、（ｃ）は１つのフロアを投影対象とした投影画像である。
【００６６】
図７に示す全てのケースで、窓ガラスをスクリーンとしてマルチプロジェクションを行っている。このように、大きな画像を分割し、それぞれのプロジェクタ１０で同時に投射することで、大きな画像を表示することができる。
【００６７】
図７（ａ）は３つのフロアを投影対象とした投影画像の例を示す。図７（ａ）は設定対象となる全ての窓ガラスを使用した例を示しており、投影画像として「高層ビル」である例を示している。
【００６８】
ここで、各階にはそれぞれ別のオフィスや店舗が入っていることがある。営業時間中や勤務時間中は部屋に照明が点灯しているため、プロジェクタ１０で投影しても明るく投影することはできない。また、店舗の場合、営業時間中は室内の顧客へ影響を与えないように、透明な窓ガラスとして使用することが望まれる。
【００６９】
しかし、階ごとに別のオフィスや店舗が入っていると、営業時間や勤務時間にばらつきがあり、いつも図７（ａ）に示すように、２Ｆ、３Ｆ、４Ｆ全てを使用して大きなコンテンツを投影することができるとは限られない。
【００７０】
そこで、図７（ｂ）、図７（ｃ）に示すように、使用するフロアの数を減らした、使用可能な階の数や、隣接する階の位置に応じた、コンテンツを予め設定しておく。
【００７１】
２つの階が使用できれば、図７（ｂ）のようなコンテンツを投影することができる。図７（ｂ）では、投影画像となるコンテンツが「地球儀」である例を示している。
【００７２】
さらに、図７（ｃ）のようなコンテンツを用意すると、１つの階だけが使用できれば、投影することができる。図７（ｃ）では、投影画像となるコンテンツが「街」である例を示している。
【００７３】
なお、図７では、使用可能なフロアの数に応じて、コンテンツの種類を変化させているが、使用可能なフロアの数に応じて、同一コンテンツの縮尺を変えて投影してもよい。
【００７４】
さらに、図７では、横方向にフロア毎に分割して投影対象の位置を割り当てているが、縦方向に分割したり、横方向と縦方向の分割を組み合わせて、投影対象の位置や範囲を割り当ててもよい。
【００７５】
図８の、（ａ）は本実施形態でコントローラ３０に記憶されるコンテンツの種類と使用フロアの割り当てデータの一例であり、（ｂ）は夫々のプロジェクタ１０で記憶されるコンテンツの画像データの一例である。
【００７６】
各プロジェクタ１０が投影するのは、投影するコンテンツの一部であり、本実施形態では、各プロジェクタ１０は自身が投影する画像データをあらかじめ、自身の記憶領域に保存している。ここで、記憶領域は、図４の記憶部１１３、またはＵＳＢポート１００３に接続したＵＳＢメモリ９０などである。
【００７７】
なお、本発明では、投影画像システム１は、マルチプロジェクションを行うため、夫々のプロジェクタ１０は、コンテンツを分割した部分画像を投影するための画像データを保存しており、それらの部分画像は窓の位置によって夫々異なる。さらに、同じ窓ガラスに投影するプロジェクタでも、上に配置されたプロジェクタ１０と下に配置されたプロジェクタでは図３に示すように投影位置が異なるため、部分投影画像が異なる。
【００７８】
各プロジェクタ１０は画像データを図８（ｂ）に示すように複数保存することが可能で、コントローラ２０からの命令で、投影する画像を切り替える。
【００７９】
コントローラ２０は、コンテンツとそのコンテンツが使用する階の対応が記載されたテーブルを持っている。例えば、図６に示す割り当てテーブル記憶部６４０において、使用可能なフロアと、投影対象となる領域に対応付けられたコンテンツの情報を、図８（ａ）に示すようなコンテンツ・フロア割り当てテーブルとして、予め記憶しておく。
【００８０】
そして、コンテンツ選択部６５０は検出した照度変化と、記憶されたコンテンツ・フロア割り当てテーブルを参照して、消灯しているフロアに対応付けられたコンテンツを選択する。その選択したコンテンツデータは、例えば図８（ｂ）に示すようなデータであり、選択コンテンツデータ送信部６６０で複数のプロジェクタ１０へ送信する。
【００８１】
例えば、地球儀３４を投影する場合は、選択コンテンツデータ送信部６６０は、３Ｆ，４Ｆの全てのプロジェクタ１０に地球儀３４を投影する命令を出す。
【００８２】
ここで、高層ビル３１は、図７（ａ）の２Ｆ、３Ｆ、４Ｆを使用するコンテンツである。地球儀は図７（ｂ）の２つの階を使用するコンテンツであり、地球儀２３は、２Ｆ、３Ｆを使用し、地球儀３４は、３Ｆ、４Ｆを使用するコンテンツである。同様に、街は図７（ｃ）の１つの階だけ使用するコンテンツであり、街２は２Ｆ、街３は３Ｆ、街４は４Ｆを使用するコンテンツである。
【００８３】
選択コンテンツデータ送信部６６０は、投影対象となるフロアに配置されたプロジェクタ１０に対しては、図８（ｂ）のように記憶された画像データの中から、該当するコンテンツ（地球儀又は街）の部分画像を夫々投影する命令を出す。
【００８４】
一方、地球儀、街のコンテンツのように、使用しない階を含む場合は、選択コンテンツデータ送信部６６０は、投影対象とならないフロアに配置されたプロジェクタ１０に対しては、電源ＯＦＦの命令を出す。
【００８５】
＜処理手順＞
次に、本実施形態における画像投影動作について図９、図１０を用いて説明する。図９は、本実施形態における、投影対象の選択処理を示すフローチャートである。
【００８６】
図９に示すフローは、一日中常時稼働していてもよいし、投影が目立つ夜間の指定された時間帯のみ稼働してもよい。
【００８７】
Ｓ１０１で、コントローラ２０は、各プロジェクタ１０の照度センサ１１７で測定した照度を取得する。
【００８８】
Ｓ１０２で、各階の点灯／消灯状況が変わったかどうか判定する。詳しくは、各プロジェクタ１０に設けられた照度センサ１１７から取得した照度がある基準値以下なら照明が消えていると判断できる。その階全てのプロジェクタで測定した照度が基準値以下なら、その階は消灯したと判断できる。
【００８９】
Ｓ１０２で、各階の点灯／消灯状況が変わった場合、Ｓ１０３に進む。変わらない場合、１０１に進む。
【００９０】
Ｓ１０３で、消灯した階はプロジェクタ１０の電源（投影）ＯＦＦ、液晶フィルムＦのスクリーンモードＯＦＦ、点灯した階はプロジェクタ１０の投影ＯＮ、液晶フィルムＦのスクリーンモードＯＮにする。
【００９１】
Ｓ１０４で、投影するコンテンツを変更する。コンテンツの変更の詳細は図１０で説明する。
【００９２】
図１０は、本実施形態における、コンテンツ割り当て処理を示す詳細フローチャートである。
【００９３】
Ｓ２０１で、全てのフロアが消灯しているかどうか判定する。
【００９４】
２Ｆ、３Ｆ、４Ｆが消灯している場合、Ｓ２０２に進む。消灯していない場合、Ｓ２０３に進む。
【００９５】
Ｓ２０２において、コンテンツ：高層ビルを投影する。
【００９６】
Ｓ２０３で、３Ｆ、４Ｆが消灯している場合、Ｓ２０４に進む。消灯していない場合、Ｓ２０５に進む。
【００９７】
Ｓ２０４で、コンテンツ：地球儀３４を投影する。
【００９８】
Ｓ２０５で、２Ｆ、３Ｆが消灯している場合、Ｓ２０６に進む。消灯していない場合、Ｓ２０７に進む。
【００９９】
Ｓ２０６で、コンテンツ：地球儀２３を投影する。
【０１００】
Ｓ２０７で、４Ｆが消灯している場合、街４を投影し、３Ｆが消灯している場合、街３を投影し、２Ｆが消灯している場合、街２を投影する。
【０１０１】
上記動作により、画像投影システムで複数の窓ガラスへ複数のプロジェクタを用いて画像を投影する際に、窓ガラスが存在する部屋の明るさをプロジェクタ１０内の照度センサ１１７が検出することで、使用状況を把握し、使用できる窓ガラスの大きさ及び位置に応じたコンテンツを投影する。これにより、スクリーンとして使用できる窓ガラスの大きさ及び位置に適した画像を投影することができる。
【０１０２】
＜第２実施形態＞
図１１は、第２実施形態に係る投影システム１Ａのネットワーク構成を示すブロック図である。
【０１０３】
本実施形態では、図２に示した投影システム１と比較して、コントローラ２０Ａが、さらに、照明スイッチ４０とネットワーク５０Ａを介して接続されている点が異なる。
【０１０４】
コントローラ２０Ａは、プロジェクタ１０の内部に設けられた照度センサ１１７ではなく、照明スイッチ４０を基に各部屋の明るさ情報を取得する。
【０１０５】
本実施形態において、照明スイッチ４０の状態をコントローラから取得できることから、照度センサでの照度検出に代えて、照明スイッチ４０により、直接、部屋の明るさを検出する。
【０１０６】
本実施形態の構成によって、図９に示す投影対象の選択処理のフローを実行する場合、コントローラ２０が各プロジェクタ１０から照度を取得するステップＳ１０１を省略できる。照明スイッチ４０は、コントローラ２０と接続されているため、コントローラ２０は、照明スイッチ４０のＯＮ／ＯＦＦの状態を監視可能であり、Ｓ１０２からスタートする。
【０１０７】
図９のＳ１０２以降のフロー及び図１０のフローは、同様であり、照明スイッチ４０のＯＮ／ＯＦＦ状態により、スクリーンとして使用可能な窓ガラスに合わせたコンテンツを選択して、複数のプロジェクタ１０での電源ＯＮ／ＯＦＦ、投影するコンテンツの切り替えの指示を制御する。
【０１０８】
また、照明スイッチ４０のＯＮ／ＯＦＦ状態を基に設定されたコンテンツに応じて、第１実施形態と同様に、スクリーンコントローラ３０の投影用の液晶フィルムのスクリーンモードのＯＮ／ＯＦＦも制御する。
【０１０９】
なお、上記実施形態の説明において、投影として画像（静止画）を例に説明したが、本発明の画像投影システムで投影するものは、映像（動画）であってもよい。
【０１１０】
上述の複数の実施形態では、窓ガラスのある部屋の明るさにより使用状況を検出し、使用できる窓ガラスに合わせたコンテンツを投影する。これにより、画像投影システムにおいて、複数の窓ガラスへ複数のプロジェクタを用いて画像を投影する際に、スクリーンとして使用できる窓ガラスの大きさ及び位置に適した画像を投影することが可能になる。
【０１１１】
以上、本発明の好ましい実施形態について詳述したが、本発明は係る特定の実施形態に限定されるものではなく、特許請求の範囲に記載された本発明の実施形態の要旨の範囲内において、種々の変形、変更が可能である。
【符号の説明】
【０１１２】
１，１Ａ  画像投影システム
１０  プロジェクタ（画像投影装置）
２０，２０Ａ  コントローラ（情報処理装置、コンピュータ、制御装置）
３０  スクリーンコントローラ
４０  照明スイッチ
５０，５０Ａ  ネットワーク
１０１  システム制御部
１０６  光学ユニット
１０７  光源制御部
１０８  光源ランプ（光源）
１０９  電源制御部
１１７  照度センサ（照度検出手段）
１２０  投影画像表示部
６１０  照度取得部
６２０  前回照度情報記憶部
６３０  照度変化検出部
６４０  割り当てデータ記憶部
６５０  コンテンツ選択部
６６０  選択コンテンツデータ送信部
Ｗ  窓ガラス
Ｆ  液晶フィルム
【先行技術文献】
【特許文献】
【０１１３】
【特許文献１】特許４９６１８５２号公報
【特許文献２】特表２００４−５３３６３６号公報
【図１】
2018157445.tif 000003
【図２】
2018157445.tif 000004
【図３】
2018157445.tif 000005
【図４】
2018157445.tif 000006
【図５】
2018157445.tif 000007
【図６】
2018157445.tif 000008
【図７】
2018157445.tif 000009
【図８】
2018157445.tif 000010
【図９】
2018157445.tif 000011
【図１０】
2018157445.tif 000012
【図１１】
2018157445.tif 000013